(57)【要約】      （修正有）【課題】極めて簡便な構造で形成することができ、両手鍋はもとより、片手鍋においても確実に蓋を立て掛けておくことができ、さらに、蓋を立て掛けた状態でも、内側に付着した水滴を調理台上に滴下させることがない容器の蓋掛具を提供する。【解決手段】容器の蓋掛具１は、容器の把手部３に穿孔された開孔部４と、前記開孔部４に着脱自在に装着される、容器の蓋の摘部を掛止する掛止具とで構成される。また前記掛止具は、蓋の摘部を掛止する凹状部１４と、前記把手部３の開孔部４に挿入される基部とで形成されている。また前記掛止具の基部は、掛止具に対して直角状に形成されている。さらに前記把手部に穿孔された開孔部は、正面視において十字状、水平長孔状、垂直長孔状、Ｔ字状、湾曲状に穿孔することもできる。【選択図】図３
2014217718.tif 000002
【特許請求の範囲】
【請求項１】
容器の把手部に穿孔された開孔部と、前記開孔部に着脱自在に装着される、容器の蓋の摘部を掛止する掛止具とで構成されることを特徴とする容器の蓋掛具。
【請求項２】
前記掛止具は、蓋の摘部を掛止する凹状部と、前記把手部の開孔部に挿入される基部とで形成されている請求項１記載の容器の蓋掛具。
【請求項３】
前記掛止具の基部は、掛止具に対して直角状に形成されている請求項２記載の容器の蓋掛具。
【請求項４】
前記把手部に穿孔された開孔部は、正面視において水平長孔状に穿孔されている請求項１記載の容器の蓋掛具。
【請求項５】
前記把手部に穿孔された開孔部は、正面視において垂直長孔状に穿孔されている請求項１記載の容器の蓋掛具。
【請求項６】
前記把手部に穿孔された開孔部は、正面視において十字状に穿孔されている請求項１記載の容器の蓋掛具。
【請求項７】
前記把手部に穿孔された開孔部は、正面視においてＴ字状に穿孔されている請求項１記載の容器の蓋掛具。
【請求項８】
前記把手部に穿孔された開孔部は、正面視において湾曲状に穿孔されている請求項１記載の容器の蓋掛具。
【発明の詳細な説明】
【技術分野】
【０００１】  本発明は、極めて簡便に形成することができ、両手鍋はもとより、片手鍋においても確実に蓋を立て掛けておくことができる容器の蓋掛具に関する。
【背景技術】
【０００２】  蓋を有する鍋などで調理をする際、蓋を片手で持ったり、蓋を調理台の上に置いたりして調理を行っていた。しかし、片手で蓋を持ちながら調理をすると手が疲れるとともに、蓋の内側に付着した水滴が調理台上に滴下するという問題が生じた。また、蓋を調理台の上に置く場合、載置するためのスペースが必要になった。さらに、調理台に置いた蓋を取り上げるのも困難であった。【０００３】  これらの問題を解消するために、あらゆるサイズ、形状の鍋蓋を料理時に一時的に立てかけて置け、さらに、菜箸も置くことができ、コンパクトで、持ち運びが簡単な鍋蓋一時置きスタンドがある（例えば特許文献１参照）。【０００４】  上掲特許文献１の鍋蓋一時置きスタンドは、円弧状の曲折形成により複数の山部と谷部を有した複数の金属棒と、板状を基本にデザイン形成された台座から成り、前記複数の金属棒の先端部を、前記台座の各コーナー近傍に接合した構造を特徴とするものである。
【先行技術文献】
【特許文献】
【０００５】
【特許文献１】特開２０１３−４７６号公報
【発明の概要】
【発明が解決しようとする課題】
【０００６】  しかしながら、上掲特許文献１の鍋蓋一時置きスタンドは、台座を調理台の上に載置するためのスペースを必要とした。また蓋を立て掛けた状態とするために、蓋の内側に付着した水滴が調理台上に滴下して不衛生でもあった。【０００７】  そこで本発明は上記の点に鑑み、極めて簡便な構造で形成することができ、両手鍋はもとより、片手鍋においても確実に蓋を立て掛けておくことができ、さらに、立て掛けた状態でも、蓋の内側に付着した水滴を調理台上に滴下させることがない容器の蓋掛具を提供することにある。
【解決を解決するための手段】
【０００８】  上記課題を解決するために本発明の容器の蓋掛具は、容器の把手部に穿孔された開孔部と、前記開孔部に着脱自在に装着される、容器の蓋の摘部を掛止する掛止具とで構成されることを特徴とする容器の蓋掛具。
【０００９】  また前記掛止具は、蓋の摘部を掛止する凹状部と、前記把手部の開孔部に挿入される基部とで形成されている。
【００１０】  また前記掛止具の基部は、掛止具に対して直角状に形成されている。
【００１１】  また前記把手部に穿孔された開孔部は、正面視において水平長孔状に穿孔されている。
【００１２】  また前記把手部に穿孔された開孔部は、正面視において垂直長孔状に穿孔されている。
【００１３】  また前記把手部に穿孔された開孔部は、正面視において十字状に穿孔されている。
【００１４】  また前記把手部に穿孔された開孔部は、正面視においてＴ字状に穿孔されている。
【００１５】  さらに、前記把手部に穿孔された開孔部は、正面視において湾曲状に穿孔されている。
【発明の効果】
【００１６】  本発明によれば、容器の把手部に穿孔された開孔部と、前記開孔部に着脱自在に装着される、容器の蓋の摘部を掛止する掛止具とで構成されることにより、極めて簡便な構造で形成することができ、製造コストの削減が実現できる。また前記蓋掛具は、両手鍋はもとより、片手鍋においても確実に蓋を立て掛けておくことができる。さらに、蓋を立て掛けた状態でも、内側に付着した水滴を調理台上に滴下させることがない。
【００１７】  また、把手部に穿孔された開孔部を正面視において十字状、Ｔ字状等に形成することで、両手鍋はもとより、片手鍋においても確実に蓋を立て掛けておくことができる。
【図面の簡単な説明】
【００１８】
【図１】容器の把手部に穿孔された開孔部である。
【図２】掛止具の全体斜視図である。
【図３】本発明の蓋掛具の組立状態である。
【図４】本発明における容器の蓋掛具の使用状態である。
【図５】片手鍋用に穿孔された開孔部である。
【図６】片手鍋に装着する掛止具の全体斜視図である。
【図７】把手部に穿孔された開孔部の他の好適例である。
【図８】把手部に穿孔された開孔部の他の好適例である。
【発明を実施するための形態】
【００１９】  本発明の容器の蓋掛具は、極めて簡便な構造で形成することができ、両手鍋はもとより、片手鍋においても確実に蓋を立て掛けておくことができ、さらに、蓋を立て掛けた状態でも、内側に付着した水滴が調理台上に滴下することを防ぐものである。
以下、本発明の容器の蓋掛具における実施の形態を図面に基づいて説明する。
【００２０】  図示する容器の蓋掛具１は、容器２の把手部３に穿孔された開孔部４と、前記開孔部４に着脱自在に装着される、容器２の蓋５の摘部６を掛止する掛止具１０とで構成される
【００２１】  前記開孔部４は、容器２の把手部３の適宜箇所に長孔状に穿孔されている。また前記開孔部４は、後述詳細の掛止具１０の基部１２を挿脱自在に保持する大きさに形成されている。
【００２２】  掛止具１０はステンレス等の素材からなり、大形の上部体１１と、上部体１１に連接された細状の基部１２と、上部体１１と基部１２との間に形成された係止部１３とからなる。
【００２３】  また前記掛止具１０の上部体１１の上部には凹部１４が形成されている。凹部１４は、容器２の蓋５の摘部６を掛止するものであり、形状は図示する湾曲状はもとより、Ｖ字状、多角状、半円状のものでもよい。
【００２４】  前記掛止具１０の基部１２を把手部３の開孔部４に挿入することで、図３に示すように、掛止具１０を確実に立設することができる。この状態で蓋５の摘部６を掛止具１０の凹部１４に掛止させることで、図４に示すように、蓋５を容易に立て掛けることができる。またこの際、蓋５の下方は容器２内に配置される。そのため、蓋５の内側に付着した水滴ａは容器２内に滴下され、水滴で調理台上を汚すことがない。
【００２５】  また図５に示すように、片手鍋７における把手部８においては、開孔部４´は片手鍋７に対して正面視において垂直長孔状に穿孔されている。この状態に穿孔されている開孔部４´においては、前記掛止具１０の基部１２´は、係止部１３に直角状に形成される。そのことにより、図示する片手鍋７においても確実に掛止具１０を立設することができる。
【００２６】  また前記開孔部の形状は、図７の（ａ）に示すように、正面視において十字状に穿孔した開孔部４ａでもよい。また（ｂ）に示すように、正面視において水平長孔状に穿孔した前述の開孔部４ｂでもよい。また（ｃ）に示すように、正面視において垂直長孔状に穿孔した前述の開孔部４ｃでもよい。
【００２７】  また前記開孔部は、図８の（ｄ）に示すように、正面視においてＴ字状に穿孔した開孔部４ｄでもよい。さらに（ｅ）に示すように、正面視において湾曲状に穿孔した開孔部４ｅでもよい。
【００２８】  上述の構成により、本発明の容器の蓋掛具は、極めて簡便な構造で形成することができる。また、開孔部を上述の形状に形成することで、両手鍋はもとより、片手鍋においても確実に蓋を立て掛けておくことができる。さらに、蓋を立て掛けた状態でも、内側に付着した水滴を調理台上に滴下させることがない。
【符号の説明】
【００２９】１    蓋掛具
２    容器
３    把手部
４    開孔部
５    蓋部
６    摘部
７    片手鍋
８    把手部
１０  挟持具
１１  上部体
１２  基部
１３  係止部
１４  凹部
ａ    水滴
【図１】
2014217718.tif 000003
【図２】
2014217718.tif 000004
【図３】
2014217718.tif 000005
【図４】
2014217718.tif 000006
【図５】
2014217718.tif 000007
【図６】
2014217718.tif 000008
【図７】
2014217718.tif 000009
【図８】
2014217718.tif 000010